(57)【要約】【課題】より多くの情報を表示できるとともに、操作回数の増加を抑制できる表示装置を提供する。【解決手段】表示装置１は、表示面２と、検出部と、制御部とを備える。表示面２は、画像Ｐを表示する。検出部は、表示面２に対するジェスチャー動作を検出する。制御部は、検出部で検出されたジェスチャー動作に基づいて、表示面２に表示される画像Ｐを制御する。表示面２は、第１領域２１と、第１領域２１に隣接する第２領域２２とを有する。画像Ｐは、第１領域２１と第２領域２２とに亘って配される第１画像Ｐ１と、第１画像Ｐ１の一部を覆うように第２領域２２に配される第２画像Ｐ２とを含む。制御部は、検出部により第１領域２１に対するジェスチャー動作が検出された際に、第２画像Ｐ２の透過度を高めて半透明とする。【選択図】図１
2017157027.tif 000002
【特許請求の範囲】
【請求項１】
画像を表示する表示面と、
前記表示面に対するジェスチャー動作を検出する検出部と、
前記検出部で検出されたジェスチャー動作に基づいて、前記表示面に表示される画像を制御する制御部と
を備え、
前記表示面は、第１領域と、前記第１領域に隣接する第２領域とを有し、
前記画像は、前記第１領域と前記第２領域とに亘って配される第１画像と、前記第１画像の一部を覆うように前記第２領域に配される第２画像とを含み、
前記制御部は、前記検出部により前記第１領域に対するジェスチャー動作が検出された際に、前記第２画像の透過度を高めて半透明とする、表示装置。
【請求項２】
前記ジェスチャー動作は、前記表示面に対するタッチのスライドに応じて、前記第１画像をスクロールさせるスクロール操作を含み、
前記制御部は、前記検出部により前記スクロール操作が検出される間、前記第２画像の透過度を高めて所定の一定値とする、請求項１に記載の表示装置。
【請求項３】
前記ジェスチャー動作は、前記表示面に対するタッチが離れた後も、前記第１画像をスクロールさせる慣性スクロール操作を含み、
前記制御部は、前記検出部により前記慣性スクロール操作が検出された際に、予め設定された時間の間、前記第２画像の透過度を順次高める、請求項１又は請求項２に記載の表示装置。
【請求項４】
前記制御部は、前記第１画像のスクロールを停止させると、前記第２画像の透過度を低下させる、請求項２又は３に記載の表示装置。
【請求項５】
前記制御部は、前記第１画像のスクロールを停止させると、予め設定された時間の間、前記第２画像の透過度を順次低下させる、請求項２又は請求項３に記載の表示装置。
【請求項６】
前記第２画像は、複数のソフトキー画像を含み、
前記ソフトキー画像は、背景画像を有し、
前記制御部は、前記背景画像の透過度を変化させる、請求項１〜請求項５のいずれかに記載の表示装置。
【請求項７】
画像を表示する表示面と、
前記表示面に対するジェスチャー動作を検出する検出部と、
前記検出部で検出されたジェスチャー動作に基づいて、前記表示面に表示される画像を制御する制御部と
を備え、
前記表示面は、第１領域と、前記第１領域に隣接する第２領域とを有し、
前記画像は、前記第１領域と前記第２領域とに亘って配されるスクロール可能な第１画像と、前記第１画像の一部を覆うように前記第２領域に配される第２画像とを含み、
前記制御部は、前記検出部により前記第１領域に対するジェスチャー動作が検出された際に、前記第１画像をスクロールさせるとともに、前記第２画像の透過度を１００％まで高め、前記第１画像のスクロールを停止させると、前記第２画像の透過度を低下させる、表示装置。
【発明の詳細な説明】
【技術分野】
【０００１】
本発明は、表示装置に関する。
【背景技術】
【０００２】
特許文献１に記載の表示装置は、スクロール可能なリスト画像の一部とソフトキー画像とをスクロール方向に並べて表示する。リスト画像は、例えば、アドレス帳を示す画像である。リスト画像がスクロールされると、ソフトキー画像を非表示として、リスト画像の表示領域を拡大させる。
【先行技術文献】
【特許文献】
【０００３】
【特許文献１】米国特許第８，６２４，９３５号明細書
【発明の概要】
【発明が解決しようとする課題】
【０００４】
しかしながら、特許文献１に記載の表示装置において、リスト画像のスクロール後に検索ワードを入力するためには、タップ等の操作を行ってソフトキー画像を表示させる必要がある。この結果、操作回数の増加を招いていた。
【０００５】
本発明は上記課題に鑑みてなされたものであり、その目的は、より多くの情報を表示できるとともに、操作回数の増加を抑制できる表示装置を提供することにある。
【課題を解決するための手段】
【０００６】
本発明の表示装置は、表示面と、検出部と、制御部とを備える。前記表示面は、画像を表示する。前記検出部は、前記表示面に対するジェスチャー動作を検出する。前記制御部は、前記検出部で検出されたジェスチャー動作に基づいて、前記表示面に表示される画像を制御する。前記表示面は、第１領域と、第２領域とを有する。前記第２領域は、前記第１領域に隣接する。前記画像は、第１画像と、第２画像とを含む。前記第１画像は、前記第１領域と前記第２領域とに亘って配される。前記第２画像は、前記第１画像の一部を覆うように前記第２領域に配される。前記制御部は、前記検出部により前記第１領域に対するジェスチャー動作が検出された際に、前記第２画像の透過度を高めて半透明とする。
【０００７】
本発明の他の表示装置は、表示面と、検出部と、制御部とを備える。前記表示面は、画像を表示する。前記検出部は、前記表示面に対するジェスチャー動作を検出する。前記制御部は、前記検出部で検出されたジェスチャー動作に基づいて、前記表示面に表示される画像を制御する。前記表示面は、第１領域と、第２領域とを有する。前記第２領域は、前記第１領域に隣接する。前記画像は、スクロール可能な第１画像と、第２画像とを含む。前記第１画像は、前記第１領域と前記第２領域とに亘って配される。前記第２画像は、前記第１画像の一部を覆うように前記第２領域に配される。前記制御部は、前記検出部により前記第１領域に対するジェスチャー動作が検出された際に、前記第１画像をスクロールさせるとともに、前記第２画像の透過度を１００％まで高め、前記第１画像のスクロールを停止させると、前記第２画像の透過度を低下させる。
【発明の効果】
【０００８】
本発明の表示装置によれば、より多くの情報を表示できるとともに、操作回数の増加を抑制できる。
【図面の簡単な説明】
【０００９】
【図１】本発明の実施形態に係る表示装置を示す正面図である。
【図２】図１の表示装置の構成を示すブロック図である。
【図３】第１画像のスクロールを示す図である。
【図４】（ａ）〜（ｃ）は、第１画像のスクロールの停止に係る時間経過を示す図である。
【図５】第１画像をスクロールさせる際の制御部の動作を示すフローチャートである。
【図６】（ａ）〜（ｃ）は、第１画像の慣性スクロールに係る時間経過を示す図である。
【図７】第１画像を慣性スクロールさせる際の制御部の動作を示すフローチャートである。
【発明を実施するための形態】
【００１０】
以下、図面を参照して本発明の実施形態を説明する。ただし、本発明は以下の実施形態に限定されない。なお、図中、同一又は相当部分については、同一の参照符号を付して説明を繰り返さない。
【００１１】
図１は、本実施形態に係る表示装置１を示す正面図である。図１に示すように、表示装置１は、表示面２を備える。本実施形態に係る表示装置１は、電話機能やメール機能等を有するスマートフォンに適用される。なお、スマートフォンは、ハードキー１１が設けられた態様であってもよい。ハードキー１１は、スタートキー、決定キー等に用いられる。
【００１２】
表示面２は、画像Ｐを表示する。表示面２は、例えば、液晶ディスプレーから構成される。表示面２は、第１領域２１と、第２領域２２とを有している。第２領域２２は、第１領域２１に隣接する。第１領域２１と第２領域２２とは、例えば、上下方向に隣接している。
【００１３】
画像Ｐは、第１画像Ｐ１と、第２画像Ｐ２とを含んでいる。第１画像Ｐ１は、第１領域２１と第２領域２２とに亘って配されている。第２画像Ｐ２は、第１画像Ｐ１の一部を覆うように第２領域２２に配されている。
【００１４】
第１画像Ｐ１は、例えば、上下方向にスクロールが可能である。第１画像Ｐ１は、アドレス帳等のリスト画像Ｐ１１を含む。本実施形態のリスト画像Ｐ１１は、上下方向に並べられた複数のアドレス０００１、０００２…を示す画像である。
【００１５】
第２画像Ｐ２は、複数のソフトキー画像Ｐ２１と、輪郭線Ｐ２３とを含む。本実施形態の第２画像Ｐ２は、所望のアドレスを検索する際に、ユーザーが検索ワード等を入力するために用いられる。輪郭線Ｐ２３は、互いに隣り合うソフトキー画像Ｐ２１を区切る線を示す画像である。輪郭線Ｐ２３は、予め設定された色に着色されている。ソフトキー画像Ｐ２１は、背景画像Ｐ２２と、文字画像Ｐ２４とを含む。背景画像Ｐ２２は、輪郭線Ｐ２３とは異なる色に着色されている。文字画像Ｐ２４は、ソフトキー画像Ｐ２１の中央に配されるアルファベット等の文字やアットマーク等の記号を示す画像である。文字画像Ｐ２４は、背景画像Ｐ２２とは異なる色に着色されている。
【００１６】
なお、画像Ｐは、さらに、入力欄画像Ｐ１２と、タイトル欄画像Ｐ１３とを含む態様であってもよい。入力欄画像Ｐ１２には、ユーザーによってソフトキー画像Ｐ２１を用いて入力した検索ワードが表示される。タイトル欄画像Ｐ１３には、第１画像Ｐ１のタイトルが表示される。
【００１７】
図２は、表示装置１の構成を示すブロック図である。図２に示すように、表示装置１は、さらに、検出部３と、制御部４とを備える。次に、図１及び図２に基づいて、検出部３及び制御部４の構成について説明する。
【００１８】
検出部３は、表示面２に対するジェスチャー動作を検出する。また、検出部３は、検出したジェスチャー動作に対応する信号を生成して制御部４に入力する。詳しくは、表示面２に対するジェスチャー動作を検出し、ジェスチャー動作に対応する信号を生成する。この結果、ユーザーは、ジェスチャー動作により、制御部４に各種の指示を与えることができる。
【００１９】
検出部３の構成は、ジェスチャー動作の検知が可能である限り、本実施形態では特に限定されるものではない。例えば、静電容量方式のタッチセンサー、抵抗膜方式のタッチセンサー、又は超音波検出方式のタッチセンサーを採用することができる。タッチセンサーを採用する場合、検出部３は、表示面２上に配置される。
【００２０】
本実施形態のジェスチャー動作には、スクロール操作と、慣性スクロール操作とが含まれている。なお、ジェスチャー動作には、更に、タップ操作が含まれる態様であってもよい。タップ操作は、ユーザーが指等で表示面２を軽く突く操作である。
【００２１】
スクロール操作は、表示面２に対するタッチのスライドに応じて、第１画像Ｐ１をスクロールさせる。スクロール操作は、例えば、ユーザーが指で表示面２をタッチした状態で、指をスクロール方向にスライドさせる操作である。リスト画像Ｐ１１に対するスクロール操作は、制御部４にリスト画像Ｐ１１をスクロールさせる指示を与える。なお、リスト画像Ｐ１１のスクロールは、指のスライド速度及び方向に追従する。
【００２２】
慣性スクロール操作は、表示面２からタッチが離れた後に、第１画像Ｐ１をスクロールさせる。慣性スクロール操作は、例えば、リスト画像Ｐ１１を素早くスクロールさせて指を離す操作である。リスト画像Ｐ１１に対する慣性スクロール操作は、制御部４に、表示面２から指を離した後もリスト画像Ｐ１１のスクロールを継続させる指示を与える。なお、リスト画像Ｐ１１の慣性スクロールは、指のスライドの速度、方向及び距離等に基づいて、リスト画像Ｐ１１の慣性スクロールの速度、方向及び継続時間等が変化される。
【００２３】
制御部４は、予め記憶されているプログラムを実行することによって、数値計算や情報処理、機器制御のような様々な処理を行う。制御部４は、ユーザーによるジェスチャー動作に応じて検出部３で生成された信号に基づいて、表示面２に表示される画像Ｐを制御する。
【００２４】
なお、本実施形態の制御部４は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）等のプロセッサーや、画像処理用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等を含んで構成されている。
【００２５】
図３は、リスト画像Ｐ１１のスクロールを示す図である。図３に示すように、制御部４は、第１領域２１に対するジェスチャー動作、本実施形態では、リスト画像Ｐ１１に対するジェスチャー動作が検出されると、ソフトキー画像Ｐ２１の透過度を高める。ソフトキー画像Ｐ２１は、透過度が高められ、半透明で表示される。なお、図３では、半透明なソフトキー画像Ｐ２１を示すために、アドレス０００７〜００１１を鎖線にて示している。
【００２６】
第２画像Ｐ２を半透明で表示することにより、第２領域２２には、ソフトキー画像Ｐ２１とともにリスト画像Ｐ１１が表示される。すなわち、ユーザーは、第２領域２２において、ソフトキー画像Ｐ２１とともにリスト画像Ｐ１１を目視により確認することができる。したがって、ユーザーは、リスト画像Ｐ１１に含まれるアドレス等の情報をより多く確認でき、所望の情報を得るために要する時間を短縮できる。また、続けて検索ワードを入力する際に、ユーザーは、ソフトキー画像Ｐ２１を新たに表示させる必要がなく、操作回数の増加を抑制できる。
【００２７】
本実施形態の制御部４は、ソフトキー画像Ｐ２１の背景画像Ｐ２２の透過度だけを変化させて、ソフトキー画像Ｐ２１を半透明とする。ここで半透明とは、輪郭線Ｐ２３及び文字画像Ｐ２４とともに、リスト画像Ｐ１１に含まれるアドレスが目視可能に表示される状態である。なお、ソフトキー画像Ｐ２１の透過度は、例えば、零％より大きく１００％より小さい値に設定される。
【００２８】
また、制御部４は、スクロール操作が検出されている間、ソフトキー画像Ｐ２１の透過度を高めて所定の一定値にする。したがって、ユーザーがスクロール操作を継続する間は、ソフトキー画像Ｐ２１が予め設定された透過度で半透明に維持される。この結果、ユーザーは、スクロール操作を継続する間、第２領域２２において、ソフトキー画像Ｐ２１とリスト画像Ｐ１１とをより明確に確認でき、所望の情報を得るために要する時間をより一層短縮できる。なお、所定の一定値は、第２領域２２において、ソフトキー画像Ｐ２１とリスト画像Ｐ１１とを目視にて最も確認容易な値であることが望ましく、例えば、実験等により予め設定される。
【００２９】
図４（ａ）〜図４（ｃ）は、リスト画像Ｐ１１のスクロールが停止された表示面２を示す図である。詳しくは、図４（ａ）は、リスト画像Ｐ１１のスクロールが停止された直後の表示装置１を示す図である。図４（ｂ）は、リスト画像Ｐ１１のスクロールが停止されて、予め設定された時間が経過するより前の表示装置１を示す図である。図４（ｃ）は、リスト画像Ｐ１１のスクロールが停止されて、予め設定された時間が経過したときの表示装置１を示す図である。なお、図４（ｂ）では、半透明なソフトキー画像Ｐ２１を示すために、アドレス０００８〜００１２を鎖線にて示している。
【００３０】
図４（ａ）に示すように、制御部４は、スクロール操作が検出されなくなると、リスト画像Ｐ１１のスクロールを停止させる。
【００３１】
図４（ｂ）に示すように、制御部４は、リスト画像Ｐ１１のスクロールを停止させると、予め設定された時間の間、ソフトキー画像Ｐ２１の透過度を順次低下させる。なお、予め設定された時間は、ソフトキー画像Ｐ２１と重なるリスト画像Ｐ１１の一部を、ユーザーが目視にて確認する時間を考慮して設定される。予め設定された時間は、例えば、１〜２秒の間の値に設定される。
【００３２】
図４（ｃ）に示すように、制御部４は、予め設定された時間が経過すると、ソフトキー画像Ｐ２１の透過度を更に低下させる。ソフトキー画像Ｐ２１の透過度は、例えば、零％に低下される。この結果、ユーザーがリスト画像Ｐ１１から所望の情報を得た後に、ソフトキー画像Ｐ２１をより容易にタップ操作することができる。なお、制御部４は、リスト画像Ｐ１１のスクロールを停止させた直後に、ソフトキー画像Ｐ２１の透過度を零％まで低下させる態様であってもよい。
【００３３】
次に、図３〜図５を参照し、検出部３にてスクロール操作が検出された際の制御部４の動作を説明する。図５は、第１画像Ｐ１をスクロールさせる際の制御部４の動作を示すフローチャートである。本実施形態では、リスト画像Ｐ１１に対してスクロール操作が行われた際の制御部４の動作について説明する。
【００３４】
まず、ステップＳ１０１において、制御部４には、検出部３からスクロール操作の信号が入力される。次に、制御部４は、ステップＳ１０２において、第２画像Ｐ２の透過度を高めて所定の一定値とし、第２領域２２に半透明の第２画像Ｐ２を表示させる。したがって、第２領域２２には、ソフトキー画像Ｐ２１とともにリスト画像Ｐ１１の一部が目視可能に表示される。
【００３５】
また、制御部４は、ステップＳ１０３において、スクロール操作の速度と方向とを判断する。そして、制御部４は、表示面２上でスライドされるユーザーの指の動きに追従するように、リスト画像Ｐ１１をスクロールさせる。
【００３６】
次に、制御部４は、ステップＳ１０４において、スクロール操作の信号が継続して入力されているかを判断する。制御部４は、信号が継続して入力されている場合、ステップＳ１０３に戻り、信号に応じてリスト画像Ｐ１１をスクロールさせる。一方、制御部４は、信号が確認できなくなった場合、ステップＳ１０５において、リスト画像Ｐ１１のスクロールを停止させる。
【００３７】
また、制御部４は、ステップＳ１０６において、ソフトキー画像Ｐ２１の透過度を順次低下させる。そして、予め設定された時間が経過すると、ソフトキー画像Ｐ２１の透過度を零％として、処理を終了する。なお、制御部４は、ステップＳ１０６において、時間経過によらず、ソフトキー画像Ｐ２１の透過度を零％に低下させ、処理を終了する態様であってもよい。
【００３８】
図６（ａ）〜図６（ｃ）は、リスト画像Ｐ１１が慣性スクロールされる表示面２を示す図である。詳しくは、図６（ａ）は、リスト画像Ｐ１１が慣性スクロールされる直前の表示装置１を示す図である。図６（ｂ）は、リスト画像Ｐ１１が慣性スクロールされて、予め設定された時間が経過するより前の表示装置１を示す図である。図６（ｃ）は、リスト画像Ｐ１１が慣性スクロールされて、予め設定された時間が経過したときの表示装置１を示す図である。なお、図６（ｂ）では、半透明なソフトキー画像Ｐ２１を示すために、アドレス０００７〜００１１を鎖線にて示している。
【００３９】
図６（ａ）に示すように、本実施形態の制御部４は、慣性スクロール操作が検出されると、リスト画像Ｐ１１をスクロールさせる。本実施形態では、リスト画像Ｐ１１に対する下方から上方（図中の矢印を参照）への慣性スクロール操作が検出され、リスト画像Ｐ１１が下方から上方へとスクロールされる場合について説明する。
【００４０】
図６（ｂ）に示すように、制御部４は、慣性スクロール操作が検出された際に、予め設定された時間の間、ソフトキー画像Ｐ２１の透過度を順次高める。透過度が高められたソフトキー画像Ｐ２１は、第２領域２２に半透明で表示される。この結果、リスト画像Ｐ１１の慣性スクロール時に、より多くのアドレスを表示でき、ユーザーが所望の情報を得るために要する時間を短縮できる。また、検索ワードを入力する際に、ソフトキー画像Ｐ２１を新たに表示させる必要がなく、操作回数の増加を抑制できる。
【００４１】
図６（ｃ）に示すように、制御部４は、予め設定された時間が経過すると、ソフトキー画像Ｐ２１の透過度を最も高い状態とする。なお、予め設定された時間は、リスト画像Ｐ１１の慣性スクロールに要する時間を考慮して設定される。予め設定された時間は、例えば、１〜２秒の間の値に設定される。
【００４２】
制御部４は、慣性スクロール操作に応じて、リスト画像Ｐ１１のスクロールを所定の時間だけ継続させた後に、リスト画像Ｐ１１のスクロールを停止させる。また、制御部４は、リスト画像Ｐ１１のスクロールを停止させると、スクロール操作の場合と同様に、予め設定された時間の間、ソフトキー画像Ｐ２１の透過度を順次低下させる。制御部４は、予め設定された時間が経過すると、ソフトキー画像Ｐ２１の透過度を零％とする。
【００４３】
次に、図６（ａ）〜図６（ｃ）、図７を参照して、検出部３にて慣性スクロール操作が検出された際の制御部４の動作を説明する。図７は、第１画像Ｐ１を慣性スクロールさせる際の制御部４の動作を示すフローチャートである。本実施形態では、リスト画像Ｐ１１に対して慣性スクロール操作が行われた際の制御部４の動作について説明する。
【００４４】
まず、ステップＳ１１１において、制御部４には、検出部３から慣性スクロール操作の信号が入力される。次に、制御部４は、ステップＳ１１２において、予め設定された時間の間、ソフトキー画像Ｐ２１の透過度を順次高める。透過度が高められたソフトキー画像Ｐ２１は、第２領域２２に半透明で表示される。したがって、第２領域２２において、ソフトキー画像Ｐ２１とともにリスト画像Ｐ１１の一部が目視可能に表示される。
【００４５】
また、制御部４は、ステップＳ１１３において、慣性スクロール操作の速度、方向及び距離を判断し、慣性スクロールの速度、方向及び継続時間を算出して、リスト画像Ｐ１１を慣性スクロールさせる。
【００４６】
次に、制御部４は、ステップＳ１１４において、リスト画像Ｐ１１を慣性スクロールさせる時間の経過を確認して、リスト画像Ｐ１１の慣性スクロールを停止させる。
【００４７】
また、制御部４は、ステップＳ１１５において、予め設定された時間の間、ソフトキー画像Ｐ２１の透過度を順次低下させる。そして、予め設定された時間が経過すると、ソフトキー画像Ｐ２１の透過度を零％とし、処理を終了する。なお、制御部４は、慣性スクロール操作の処理中に、さらに、慣性スクロール操作の信号が入力された場合、ステップＳ１１３に戻って処理を再開する。
【００４８】
以上、本発明の実施形態に係る表示装置１について、図面を参照しながら説明した。本発明の実施形態で説明した表示装置１は、ジェスチャー動作を検出するディスプレーを備えた装置に利用することができる。
【００４９】
本発明は、スマートフォンにのみ適用されるものではなく、例えば、コピー機能やファクス機能を備え複合機、携帯電話、ＰＣ（Ｐｅｒｓｏｎａｌ  Ｃｏｍｐｕｔｅｒ）、ＰＤＡ（Ｐｅｒｓｏｎａｌ  Ｄａｔａ  Ａｓｓｉｓｔａｎｔ）、テレビジョン等の各種の電子機器に適用可能である。
【００５０】
なお、本発明は、上記の実施形態に限られるものではなく、その要旨を逸脱しない範囲で種々の態様において実施することが可能である。
【００５１】
例えば、本発明の実施形態では、スクロール操作及び慣性スクロール操作に対応する表示装置を例に説明したが、本発明は、スクロール操作又は慣性スクロール操作のいずれかに対応する表示装置であっても適用することができる。
【００５２】
また、本発明の実施形態では、制御部は、第１領域に対するジェスチャー動作が検出された際に、第２画像の透過度を高めて半透明としていた。本発明の他の実施形態の制御部は、第１領域に対するジェスチャー動作が検出された際に、第１画像をスクロールさせるとともに、第２画像の透過度を１００％まで高め、第２画像を透明とする。
【産業上の利用可能性】
【００５３】
本発明は、ジェスチャー動作を検出するディスプレーを備えた様々な電子機器に応用することができる。
【符号の説明】
【００５４】
１        表示装置
２        表示面
３        検出部
４        制御部
２１      第１領域
２２      第２領域
Ｐ        画像
Ｐ１      第１画像
Ｐ２      第２画像
【図１】
2017157027.tif 000003
【図２】
2017157027.tif 000004
【図３】
2017157027.tif 000005
【図４】
2017157027.tif 000006
【図５】
2017157027.tif 000007
【図６】
2017157027.tif 000008
【図７】
2017157027.tif 000009